(57)【特許請求の範囲】
【請求項１】
吸収剤として石灰を用いた吸収液と排ガスを接触せしめて排ガス中のＳＯ2を吸収除去する吸収塔と、該吸収塔内における排ガスと接触せしめた吸収液に酸化空気を吹き込む酸化空気ブロワとを備えた排煙脱硫装置の酸化性物質抑制方法であって、未処理の排ガスの一部を酸化空気に混入することを特徴とする排煙脱硫装置の酸化性物質抑制方法。
【請求項２】
吸収剤として石灰を用いた吸収液と排ガスを接触せしめて排ガス中のＳＯ2を吸収除去する吸収塔と、該吸収塔内における排ガスと接触せしめた吸収液に酸化空気を吹き込む酸化空気ブロワとを備えた排煙脱硫装置の酸化性物質抑制装置であって、吸収塔の入口に接続される入側ダクト途中から排ガス混入ラインを分岐させて酸化空気ブロワの吸込み側に接続したことを特徴とする排煙脱硫装置の酸化性物質抑制装置。
【発明の詳細な説明】
【０００１】
【発明の属する技術分野】
本発明は、排煙脱硫装置の酸化性物質抑制方法及び装置に関するものである。
【０００２】
【従来の技術】
吸収剤として炭酸カルシウム（ＣａＣＯ3）を用いた排煙脱硫装置は、一般に図２に示されるように、下部に吸収液１の液溜部１ａが形成され且つ上部に多数のスプレーノズル２が配設された吸収塔３と、該吸収塔３の液溜部１ａの吸収液１を汲み上げ前記スプレーノズル２から噴霧させて循環させる複数台の循環ポンプ４と、前記吸収塔３の液溜部１ａに酸化空気を供給する酸化空気ブロワ５とを備えてなる構成を有している。
【０００３】
前述の如き排煙脱硫装置の場合、吸収液１が循環ポンプ４の作動によりスプレーノズル２から噴霧されつつ循環しており、図示していない石炭焚ボイラ等から吸収塔３に送り込まれた排ガスは、前記スプレーノズル２から噴霧される吸収液１と接触することにより、ＳＯ2（硫黄酸化物）が吸収除去された後、外部へ排出される。
【０００４】
一方、前記排ガスからＳＯ2を吸収した吸収液１は、液溜部１ａに滴下し、酸化空気ブロワ５の作動によって液溜部１ａ内へ供給される酸化空気により強制的に酸化され、石膏（硫酸カルシウム（ＣａＳＯ4））が生成され、該石膏を含む液溜部１ａ内の吸収液１は、吸収塔３の底部から石膏スラリーとして抜き出され、該石膏スラリーから水分が除去され石膏が回収されるようになっており、又、前記吸収塔３には、必要に応じて適宜、所要量の吸収剤スラリーが供給されるようになっている。
【０００５】
ところで、前述の如き従来の排煙脱硫装置の場合、酸化空気ブロワ５から吸収塔３の液溜部１ａへ供給される酸化空気の流量が過剰である場合には、副反応としてＳ2Ｏ8（過硫酸）やＩＯ3（ヨウ素酸）等の酸化性物質が生成されて該酸化性物質の濃度が高まり、吸収塔３からの排液を処理するための図示していない排水処理装置の硝化菌の活性低下が引き起こされたり、或いは硝化菌が死滅してしまい、排水処理装置の機能が低下すると共に、該排水処理装置のＣＯＤ（化学的酸素要求量）で表わされる還元性物質を吸着するための高分子材料からなるイオン交換樹脂の劣化が速まるという問題を有していた。
【０００６】
このため、従来においては、例えば、吸収液１の酸化還元電位（ＯＲＰ）を検出し、該酸化還元電位に応じてマンガン（Ｍｎ）等を吸収液１に添加し、酸化還元電位を許容範囲内に収まるように制御することにより、酸化性物質の生成を抑えるようにしたり、或いは、吸収液１のｐＨ（ペーハー）を制御することによって酸化性物質の生成を抑えるようにしたものがあった。
【０００７】
【発明が解決しようとする課題】
しかしながら、前述の如く酸化還元電位やｐＨのみをある範囲内に収まるようにしただけでは、酸化性物質の生成は、充分に抑制できるものではなく、上流側の石炭焚ボイラにおいて使用される石炭に依存する場合もあり、酸化反応が最も直接的に進行する箇所を過剰な酸化雰囲気から遠い雰囲気にする必要があり、このためには微小量の還元効果を持つ物質を酸化反応領域に効率よく供給すればよいことが近年の研究によって明らかになってきている。
【０００８】
このため、ＮＨ3やＨＣｌ等の還元性を有する物質を吸収塔３の液溜部１ａに供給して分散させることも考えられているが、このようにした場合、ランニングコストの増加につながり経済的でないという欠点を有していた。
【０００９】
本発明は、斯かる実情に鑑み、還元性を有する物質を特別に必要とせずにランニングコストの増加を回避しつつ、酸化性物質の生成を確実に抑制し得、吸収塔からの排液を処理する排水処理装置の機能低下並びにイオン交換樹脂の劣化を防止し得る排煙脱硫装置の酸化性物質抑制方法及び装置を提供しようとするものである。
【００１０】
【課題を解決するための手段】
本発明は、吸収剤として石灰を用いた吸収液と排ガスを接触せしめて排ガス中のＳＯ2を吸収除去する吸収塔と、該吸収塔内における排ガスと接触せしめた吸収液に酸化空気を吹き込む酸化空気ブロワとを備えた排煙脱硫装置の酸化性物質抑制方法であって、未処理の排ガスの一部を酸化空気に混入することを特徴とする排煙脱硫装置の酸化性物質抑制方法にかかるものである。
【００１１】
又、本発明は、吸収剤として石灰を用いた吸収液と排ガスを接触せしめて排ガス中のＳＯ2を吸収除去する吸収塔と、該吸収塔内における排ガスと接触せしめた吸収液に酸化空気を吹き込む酸化空気ブロワとを備えた排煙脱硫装置の酸化性物質抑制装置であって、吸収塔の入口に接続される入側ダクト途中から排ガス混入ラインを分岐させて酸化空気ブロワの吸込み側に接続したことを特徴とする排煙脱硫装置の酸化性物質抑制装置にかかるものである。
【００１２】
上記手段によれば、以下のような作用が得られる。
【００１３】
本発明の排煙脱硫装置の酸化性物質抑制方法及び装置においては、未処理の排ガスの一部を酸化空気に混入することにより、吸収塔へ供給される酸化空気の酸素濃度が若干低下し、しかも未処理の排ガス中には還元性を有するＳＯ2が含まれているため、前記吸収塔での吸収液の過剰な酸化反応が抑制されることとなる。
【００１４】
この結果、ＮＨ3やＨＣｌ等の還元性を有する物質を吸収塔に供給しなくても、酸化性物質の生成が確実に抑制され、該酸化性物質の濃度が低下し、吸収塔からの排液を処理するための排水処理装置の硝化菌の活性低下が引き起こされたり、或いは硝化菌が死滅してしまうことがなくなり、排水処理装置の機能が低下しなくなると共に、該排水処理装置のＣＯＤ（化学的酸素要求量）で表わされる還元性物質を吸着するための高分子材料からなるイオン交換樹脂の劣化も抑えられる。
【００１５】
【発明の実施の形態】
以下、本発明の実施の形態を図示例と共に説明する。
【００１６】
図１は本発明を実施する形態の一例であって、図中、図２と同一の符号を付した部分は同一物を表わしており、基本的な構成は図２に示す従来のものと同様であるが、本図示例の特徴とするところは、図１に示す如く、未処理の排ガスの一部を酸化空気に混入する排ガス混入ライン６を具備せしめた点にある。
【００１７】
本図示例の場合、前記排ガス混入ライン６は、吸収塔３の入口に接続される入側ダクト３ａ途中から分岐させて、酸化空気ブロワ５の吸込み側に接続してあり、排ガス混入ライン６の途中には、開度調整可能な流量調整ダンパ７を設け、該流量調整ダンパ７の開度を調整することにより、所要量（吸収塔３の液溜部１ａへ供給される酸化空気の流量のおよそ２０〜３０［％］程度）の排ガスを酸化空気に混入し得るようにしてある。
【００１８】
次に、上記図示例の作動を説明する。
【００１９】
未処理の排ガスの一部を吸収塔３の入口に接続される入側ダクト３ａ途中から分岐させ排ガス混入ライン６を介して酸化空気ブロワ５の吸込み側に導入されるようにすると、吸収塔３の液溜部１ａへ供給される酸化空気の酸素濃度が若干低下し、しかも未処理の排ガス中には還元性を有するＳＯ2が含まれているため、前記吸収塔３の液溜部１ａでの吸収液１の過剰な酸化反応が抑制されることとなる。
【００２０】
この結果、ＮＨ3やＨＣｌ等の還元性を有する物質を吸収塔３の液溜部１ａに供給しなくても、酸化性物質の生成が確実に抑制され、該酸化性物質の濃度が低下し、吸収塔３からの排液を処理するための図示していない排水処理装置の硝化菌の活性低下が引き起こされたり、或いは硝化菌が死滅してしまうことがなくなり、排水処理装置の機能が低下しなくなると共に、該排水処理装置のＣＯＤ（化学的酸素要求量）で表わされる還元性物質を吸着するための高分子材料からなるイオン交換樹脂の劣化も抑えられる。
【００２１】
尚、ＪＩＳの残留塩素分析におけるＤＰＤ（Ｎ，Ｎ−ジエチル−ｐ−フェニレンジアミンアンモニウム）比色法を用いて、吸収塔３からの排液中に含まれるＳ2Ｏ8（過硫酸）やＩＯ3（ヨウ素酸）等の酸化性物質の濃度を実際に検出したところ、これらの酸化性物質の濃度はおよそ１０〜５０［％］程度に減少することが確認された。
【００２２】
こうして、還元性を有する物質を特別に必要とせずにランニングコストの増加を回避しつつ、酸化性物質の生成を確実に抑制し得、吸収塔３からの排液を処理する排水処理装置の機能低下並びにイオン交換樹脂の劣化を防止し得る。
【００２３】
尚、本発明の排煙脱硫装置の酸化性物質抑制方法及び装置は、上述の図示例にのみ限定されるものではなく、本発明の要旨を逸脱しない範囲内において種々変更を加え得ることは勿論である。
【００２４】
【発明の効果】
以上、説明したように本発明の排煙脱硫装置の酸化性物質抑制方法及び装置によれば、還元性を有する物質を特別に必要とせずにランニングコストの増加を回避しつつ、酸化性物質の生成を確実に抑制し得、吸収塔からの排液を処理する排水処理装置の機能低下並びにイオン交換樹脂の劣化を防止し得るという優れた効果を奏し得る。
【図面の簡単な説明】
【図１】本発明を実施する形態の一例の全体概要構成図である。
【図２】従来例の全体概要構成図である。
【符号の説明】
１          吸収液
３          吸収塔
３ａ        入側ダクト
５          酸化空気ブロワ
６          排ガス混入ライン
【図１】
0003743159.tif 000002
【図２】
0003743159.tif 000003